(57)【要約】【課題】三相の各遮断器が開極すると同時に三相共電流遮断する場合に、第１相投入直後においても第２投入相及び第３投入相の残留磁束の差異が略零となるように、遮断器の開閉極動作を制御する位相制御開閉装置を得る。【解決手段】三相中の何れかの相の電圧零点で各遮断器５０の各消弧室内の各接触子を三相同時に開極させる。三相の各遮断器５０が開極すると同時に三相共電流遮断すると、電圧零点で遮断させる相の残留磁束レベルを最大（例えば−２Ｋ、あるいは＋２Ｋ）に、他の２相の残留磁束レベルを電圧零点で遮断させる相の残留磁束レベルとは逆極性の約１/２の大きさで略同じ残留磁束レベル（例えば＋Ｋと＋Ｋ、あるいは−Ｋと−Ｋ）に、変圧器１０の各相の残留磁束レベルを制御できることから、電圧零点で遮断された相を第１番目に投入することにより、第１相投入直後における第２投入相および第３投入相の残留磁束の差異を略零とすることが可能となる。【選択図】図１
2006040566.tif 000002
【特許請求の範囲】
【請求項１】
電力系統に接続された変電機器と、
この変電機器に接続され、上記変電機器の故障電流や負荷電流を遮断すると共に上記変電機器を励磁するために投入する各相毎の遮断器と、
上記各相毎の遮断器の変電機器側と電力系統側の電圧を計測する電圧計測部と、
上記変電機器の残留磁束を考慮して上記各相毎の遮断器の開閉制御を行なう位相制御開閉演算処理部とを備え、
上記各相毎の遮断器が開極指令を受けた場合に、上記位相制御開閉演算処理部が、各相に設けられた上記電圧計測部より計測された電圧波形の位相から、一つの相の周期的な零点を予測し、上記一つの相の電圧零点近傍で上記遮断器の各接触子を三相同時に開極させ、
上記各相毎の遮断器が閉極指令を受けた場合に、上記位相制御開閉演算処理部が、上記一つの相の上記電圧計測部より計測された上記一つの相の電圧波形の位相から、上記一つの相の周期的な零点を予測し、電圧零点で開極した上記一つの相を第１投入相とし、上記変電機器の残留磁束を考慮して投入時の励磁突入電流が略最小になる投入点で投入し、残りの相を上記一つの相の投入点後の上記一つの相の電圧零点近傍で投入するようにした位相制御開閉装置。
【請求項２】
上記電圧計測部より計測された電圧波形の位相から、周期的な零点を予測する上記一つの相は、上記各相毎の遮断器が開極指令を受けた場合に、上記位相制御開閉演算処理部が、開極信号を発信する位相を演算するのに要する演算時間経過後に、最初に電圧零点を迎える相である請求項１記載の位相制御開閉装置。
【請求項３】
上記一つの相を第１投入相とし、上記変電機器の残留磁束を考慮した投入時の励磁突入電流が略最小になる投入点は、上記変電機器の上記一つの相の残留磁束が定常磁束と略一致する点である請求項１または請求項２記載の位相制御開閉装置。
【請求項４】
上記各相毎の遮断器が開極指令を受けた場合に、上記位相制御開閉演算処理部が、電力系統の送電線の中で中間に配置された中相を設定できる機能を備え、上記一つの相は上記中相である請求項１記載の位相制御開閉装置。
【請求項５】
上記各相毎の遮断器が開極指令を受けた場合に、上記位相制御開閉演算処理部が、電力系統の送電線の中で両端に配置された端相のいずれかの特定相を設定できる機能を備え、上記一つの相は上記端相のいずれかの特定相である請求項１記載の位相制御開閉装置。
【請求項６】
電力系統に接続された変電機器と、
この変電機器に接続され、上記変電機器の故障電流や負荷電流を遮断すると共に上記変電機器を励磁するために投入する各相毎の遮断器と、
三相中のいずれかの特定相の上記遮断器の変電機器側と電力系統側の電圧を計測する電圧計測部と、
上記変電機器の残留磁束を考慮して上記各相毎の遮断器の開閉制御を行なう位相制御開閉演算処理部とを備え、
上記各相毎の遮断器が開極指令を受けた場合に、上記位相制御開閉演算処理部が、上記特定相を設定できる機能を備え、上記特定相に設けられた上記電圧計測部より計測された電圧波形の位相から、上記特定相の周期的な零点を予測し、上記特定相の電圧零点近傍で上記遮断器の各接触子を三相同時に開極させ、
上記各相毎の遮断器が閉極指令を受けた場合に、上記位相制御開閉演算処理部が、上記特定相の上記電圧計測部より計測された上記特定相の電圧波形の位相から、上記特定相の周期的な零点を予測し、電圧零点で開極した上記特定相を第１投入相とし、上記変電機器の残留磁束を考慮して投入時の励磁突入電流が略最小になる投入点で投入し、残りの相を上記特定相の投入点後の上記特定相の電圧零点近傍で投入するようにした位相制御開閉装置。
【請求項７】
上記特定相は、電力系統の送電線の中で中間に配置された中相であり、上記電圧計測部が上記中相の電圧を計測するようにした請求項６記載の位相制御開閉装置。
【請求項８】
上記特定相は、電力系統の送電線の中で両端に配置された端相のいずれかの特定相であり、上記電圧計測部が上記端相のいずれかの特定相の電圧を計測するようにした請求項６記載の位相制御開閉装置。
【発明の詳細な説明】
【技術分野】
【０００１】
この発明は、変圧器、分路リアクトル等の変電機器のコアの残留磁束を考慮して、遮断器等の電力用開閉装置の開閉時刻を制御することによって、電力系統に接続された変電機器にとって、過酷となる開閉装置の開閉に伴う過渡的な励磁突入電流の発生を、最小限に抑制する位相制御開閉装置に関するものである。
【背景技術】
【０００２】
従来、変圧器コアあるいは分路リアクトルコアに残留磁束がある場合について、変圧器あるいは分路リアクトル各相の残留磁束を予測すると共に、各相の残留磁束に応じた最適な投入タイミングで遮断器を動作させることにより、過渡的な開閉サージ現象を抑制するようにした位相制御開閉装置があった（例えば特許文献１参照）。
【０００３】
【特許文献１】特開２００１−２１８３５４号公報（段落番号[０００４][０００７][０００８]、図１、図２４等）
【発明の開示】
【発明が解決しようとする課題】
【０００４】
従来の位相制御開閉装置では、三相の各遮断器が開極すると、各相個別に商用周波の電気角６０°間隔で迎える電流零点で遮断が行なわれるものとしているため、第１遮断相の残留磁束が零、第２遮断相あるいは第３遮断相の残留磁束が＋Ｋあるいは−Ｋとなる。このため、たとえ各相の残留磁束を考慮して遮断器の閉極動作を制御したとしても、第１相（例えば残留磁束が＋Ｋの相）投入直後は、第２投入相（例えば残留磁束が−Ｋの相）および第３投入相（例えば残留磁束が零の相）の残留磁束値に差異があるため、この状態で第２投入相および第３投入相を投入すると、第２投入相あるいは第３投入相の何れか片相あるいは両相ともが残留磁束と定常磁束の一致しない電気角で投入されることとなる。そのため、磁束の過渡現象が発生して、第２投入相あるいは第３投入相の何れか片相あるいは両相ともに直流分磁束が重畳するので、磁気飽和が発生すると、変圧器にとって過酷となる開閉装置の開閉に伴う過渡的な励磁突入電流を最小限に抑制できないという欠点があった。
【０００５】
この発明は、上述のような課題を解決するためになされたもので、遮断器の開極と同時に三相共電流遮断する場合に、第１相投入直後においても第２投入相および第３投入相の残留磁束の差異が略零となるように、遮断器の開閉極動作を制御する位相制御開閉装置を提供することを目的とする。
【課題を解決するための手段】
【０００６】
この発明に係る位相制御開閉装置においては、電力系統に接続された変電機器と、この変電機器に接続され、上記変電機器の故障電流や負荷電流を遮断すると共に上記変電機器を励磁するために投入する各相毎の遮断器と、上記各相毎の遮断器の変電機器側と電力系統側の電圧を計測する電圧計測部と、上記変電機器の残留磁束を考慮して上記各相毎の遮断器の開閉制御を行なう位相制御開閉演算処理部とを備え、上記各相毎の遮断器が開極指令を受けた場合に、上記位相制御開閉演算処理部が、各相に設けられた上記電圧計測部より計測された電圧波形の位相から、一つの相の周期的な零点を予測し、上記一つの相の電圧零点近傍で上記遮断器の各接触子を三相同時に開極させ、上記各相毎の遮断器が閉極指令を受けた場合に、上記位相制御開閉演算処理部が、上記一つの相の上記電圧計測部より計測された上記一つの相の電圧波形の位相から、上記一つの相の周期的な零点を予測し、電圧零点で開極した上記一つの相を第１投入相とし、上記変電機器の残留磁束を考慮して投入時の励磁突入電流が略最小になる投入点で投入し、残りの相を上記一つの相の投入点後の上記一つの相の電圧零点近傍で投入するようにしたものである。
【０００７】
また、電力系統に接続された変電機器と、この変電機器に接続され、上記変電機器の故障電流や負荷電流を遮断すると共に上記変電機器を励磁するために投入する各相毎の遮断器と、三相中のいずれかの特定相の上記遮断器の変電機器側と電力系統側の電圧を計測する電圧計測部と、上記変電機器の残留磁束を考慮して上記各相毎の遮断器の開閉制御を行なう位相制御開閉演算処理部とを備え、上記各相毎の遮断器が開極指令を受けた場合に、上記位相制御開閉演算処理部が、上記特定相を設定できる機能を備え、上記特定相に設けられた上記電圧計測部より計測された電圧波形の位相から、上記特定相の周期的な零点を予測し、上記特定相の電圧零点近傍で上記遮断器の各接触子を三相同時に開極させ、上記各相毎の遮断器が閉極指令を受けた場合に、上記位相制御開閉演算処理部が、上記特定相の上記電圧計測部より計測された上記特定相の電圧波形の位相から、上記特定相の周期的な零点を予測し、電圧零点で開極した上記特定相を第１投入相とし、上記変電機器の残留磁束を考慮して投入時の励磁突入電流が略最小になる投入点で投入し、残りの相を上記特定相の投入点後の上記特定相の電圧零点近傍で投入するようにしたものである。
【発明の効果】
【０００８】
この発明の位相制御開閉装置によれば、三相中のいずれか一つの相又は設定された特定相の電圧零点で各遮断器の各接触子を三相同時に開極させ、電圧零点で開極した相を第１番目の投入相とすることにより、三相の各遮断器が開極すると同時に三相共電流遮断すると、電圧零点で遮断された相の残留磁束レベルを最大（例えば−２Ｋ、あるいは＋２Ｋ）に、他の２相の残留磁束レベルを電圧零点で遮断された相の残留磁束レベルとは逆極性の約１/２の大きさで略同じ残留磁束レベル（例えば＋Ｋと＋Ｋ、あるいは−Ｋと−Ｋ）に、変電機器の各相の残留磁束レベルを制御できることから、電圧零点で遮断された相を第１番目に投入することにより、第１相投入直後における第２投入相と第３投入相の残留磁束の差異を略零とすることができる。このため、第２投入相および第３投入相をそれらの残留磁束と定常磁束が略一致する電気角で投入できるので、磁束の過渡現象の発生を抑制でき、対称磁束となって、磁気飽和の発生を抑制できることから、変電機器にとって過酷となる開閉装置の開閉に伴う過渡的な励磁突入電流を最小限に抑制させることが可能となる。
【発明を実施するための最良の形態】
【０００９】
実施の形態１．
図１は、この発明の実施の形態１における位相制御開閉装置の構成を示すブロック図である。図１において、１０は変圧器や分路リアクトル等の変電機器で以下変圧器１０で代表して示す。変圧器１０は遮断器５０を介して、送電線の電力系統に接続される。この遮断器５０の消弧室５２ａ，５２ｂ，５２ｃ内の各接触子が独立に開閉動作することを可能にするため、それぞれ独立の操作装置５４ａ，５４ｂ，５４ｃを有する。各Ｒ、Ｓ、Ｔ相の変圧器１０と遮断器５０との間、および各Ｒ、Ｓ、Ｔ相の遮断器５０の電力系統側には、それぞれ電圧を計測する電圧計測部７２ａ，７２ｂ，７２ｃと７３ａ，７３ｂ，７３ｃが設けられている。そして位相制御開閉演算処理部８０はコンピュータ等により構成され、機能として基準位相検出部８２、演算・動作制御部８１、残留磁束検出部８３を含む。また、開閉極信号３１、並びに操作装置５４ａ，５４ｂ，５４ｃの周囲温度、操作圧力、制御電圧の計測データ３２が演算・動作制御部８１に入力される。開閉極信号３１は遮断器５０への開閉極指令である。
【００１０】
また、図２は、この発明における位相制御開閉装置の開極動作を説明するための各相の電圧、電流、磁束挙動等を示すタイミングチャートである。図２において、上から順に、各相の電力系統側の電圧（電源電圧と記す）、各相の遮断器５０の消弧室５２ａ，５２ｂ，５２ｃ内の各接触子の主回路接点（主回路と記す）、各相の遮断器５０への開極指令、各相の遮断器５０の動作工程（トラベルと記す）、各相の遮断器５０への開極信号、各相の変圧器電圧、各相の変圧器電圧から予測した変圧器の磁束、各相の遮断器５０に流れる電流を示す。なお、図２のＴori，Ｔori+1，Ｔoti，Ｔoti+1，Ｔosi，Ｔosi+1は各相の電圧零点を示す。
【００１１】
以下、図２に従って、位相制御開閉装置の開極動作について説明する。各Ｒ、Ｓ、Ｔ相の電圧は、各電圧計測部７２ａ，７２ｂ，７２ｃおよび７３ａ，７３ｂ，７３ｃにて常時計測され、位相制御開閉演算処理部８０の残留磁束検出部８３および基準位相検出部８２へ送信される。残留磁束検出部８３では、遮断器５０が開極指令を受けた場合、開極指令をトリガにして、開極指令を受けた前後に各相の遮断器５０の変圧器側に設けられた電圧計測部７２ａ，７２ｂ，７２ｃより計測された電圧値から、各相の変圧器１０の残留磁束を計算する。基準位相検出部８２では、各相の遮断器５０の電力系統側に設けられた電圧計測部７３ａ，７３ｂ，７３ｃより計測された電圧値から、各Ｒ、Ｓ、Ｔ相の電圧波形の位相と電圧零点の周期を検出する。検出することにより、各相の周期的な電圧零点を予測できる。
【００１２】
遮断器５０が開極指令を受けた場合、演算・動作制御部８１は、演算時間Ｔcal経過後に最初に電圧零点を迎える相、例えば図２に示すようにＲ相の電圧零点を基準点Ｔstandardとする。演算・動作制御部８１は、操作装置５４ａ，５４ｂ，５４ｃの周囲温度、操作圧力、制御電圧の計測データより予測される開極動作時間Ｔopenを計算すると共に、基準となった相の電圧零点となる開極時刻（電気角）点（開極目標点）Ｔtargetから基準点Ｔstandardまでの時間から、予測された開極動作時間Ｔopenを引き算して求まる動作同期時間Ｔcontを計算する（遮断位相検出手段８１ａ）。なお、演算・動作制御部８１の演算時間Ｔcalは、遮断器５０が開極指令を受けてから、開極信号を発信する位相を求めるための上記動作同期時間Ｔcontを計算するまでの時間である。
【００１３】
演算・動作制御部８１は、基準点Ｔstandardから計算された動作同期時間Ｔcontを経過後に、各相操作装置５４ａ，５４ｂ，５４ｃに開極信号を与えて、各消弧室５２ａ，５２ｂ，５２ｃ内の各接触子が所定の電気角で三相同時に開極動作するよう制御し、三相同時に電流遮断させる。
【００１４】
例えば図２に示すようにＲ相の電圧零点で各消弧室５２ａ，５２ｂ，５２ｃ内の各接触子が三相同時に開極され電流が遮断された場合、各相の残留磁束レベルは、電圧零点で遮断したＲ相が残留磁束最大相となり−５７％、他のＳ相およびＴ相は電圧零点で遮断したＲ相の残留磁束レベルとは逆極性の約１／２の大きさで、略同じ残留磁束レベルの＋３１%および＋２６%となる。
【００１５】
これは、遮断点の各相の残留磁束レベルが電圧零点で遮断したＲ相が最大、他のＳ相およびＴ相がＲ相の半分のレベルとなる地点に相当し、電流遮断後に発生する変圧器１０の励磁インダクタンスと周辺の回路条件などによる電圧の過渡振動が急峻に減衰して一定値に収束して、磁束が電流遮断点の磁束レベルより多少減衰して一定値に収束する。そのため、三相中のいずれかの相（例えば本例の場合はＲ相）の電圧零点で遮断器５０の各消弧室５２ａ，５２ｂ，５２ｃの各接触子を三相同時に開極して電流遮断させることにより、電圧零点で遮断された相（例えば本例の場合はＲ相）の残留磁束レベルを最大（例えば−２Ｋ、あるいは＋２Ｋ）に、他の２相の残留磁束レベルを電圧零点で遮断された相の残留磁束レベルとは逆極性の約１／２の大きさで略同じ残留磁束レベル（例えば＋Ｋと＋Ｋ、あるいは−Ｋと−Ｋ）に、変圧器の各相の残留磁束レベルを制御できることが分かる。
【００１６】
図３は、この発明における位相制御開閉装置の閉極動作を説明するタイミングチャートである。図３の各部の電圧等のタイミングチャートに従って、位相制御開閉演算処理部８０の基準位相検出部８２および演算・動作制御部８１の閉極動作について説明する。基準位相検出部８２では、各相の遮断器５０の電力系統側に設けられた電圧計測部７３ａ，７３ｂ，７３ｃより計測された電圧値から、各Ｒ、Ｓ、Ｔ相の電圧波形の位相と電圧零点の周期を検出する。検出することにより、各相の周期的な電圧零点を予測できる。
遮断器５０が閉極指令（投入指令）を受けた場合、演算・動作制御部８１は、演算時間Ｔcal経過後に開極動作の際に基準となった相（例えば図２に示すように基準点ＴtargetとなったＲ相）の電圧零点を基準点Ｔstandardとする。
【００１７】
演算・動作制御部８１は、操作装置５４ａ，５４ｂ，５４ｃの周囲温度、操作圧力、制御電圧の計測データより予測される遮断器５０の各相の閉極動作時間Ｔcloseおよび先行アーク時間Ｔprearcを計算する。と共に開極動作の際に基準となった相（例えば図２に示すように基準点ＴtargetとなったＲ相）を第１投入相として、変圧器の残留磁束を考慮して、投入時の励磁突入電流が最小となる最適な閉極時刻（電気角）点Ｔ１target（変圧器の各相の残留磁束が定常磁束と一致する点）を第１投入相投入目標点とする。と共に第２投入相および第３投入相の投入時の励磁突入電流が最小となる最適な閉極時刻（電気角）点Ｔ２target（変圧器の各相の残留磁束が定常磁束と一致する点）を、第１投入相の閉極時刻点Ｔ１target以降の任意の時刻（電気角）における第１投入相の電圧零点として、第２投入相および第３投入相投入目標点とする。
【００１８】
演算・動作制御部８１は、Ｔ１targetおよびＴ２targetから基準点Ｔstandardまでの時間から、予測される閉極動作時間Ｔcloseを引き算し、かつ、先行アーク時間Ｔprearcを足し算して求まる動作同期時間Ｔcont１，Ｔcont２をそれぞれ計算する（投入位相検出手段８１ｂ）。なお、動作同期時間Ｔcont１は、第１投入相（Ｒ相）用であり、動作同期時間Ｔcont２は、第２投入相および第３投入相（Ｓ相およびＴ相）用である。演算・動作制御部８１は、基準点Ｔstandardから計算された動作同期時間Ｔcont１を経過後に第１投入相（Ｒ相）の操作装置５４ａに、また、上記基準点Ｔstandardから計算された動作同期時間Ｔcont２を経過後に第２投入相および第３投入相（Ｓ相およびＴ相）の操作装置５４ｂ，５４ｃに、それぞれ閉極信号（投入信号）を与えて、各消弧室５２ａ，５２ｂ，５２ｃ内の各接触子が所定の電気角にて閉極動作（投入動作）するよう制御する。
なお、上述では、閉極動作時間Ｔcloseを第１投入相（Ｒ相）用，第２投入相（Ｓ相）用および第３投入相（Ｔ相）用について、同一として扱ったが、これらが異なるときは、第１投入相（Ｒ相）用の閉極動作時間Ｔcloseｒから動作同期時間Ｔcont１を求め、第２投入相（Ｓ相）用の閉極動作時間Ｔcloseｓから動作同期時間Ｔcont２ｓを求め、第３投入相（Ｔ相）用の閉極動作時間Ｔcloseｔから動作同期時間Ｔcont２ｔを、それぞれ求める必要がある。
【００１９】
図４は図３のタイミングチャートによる閉極動作に対する各相の電圧、電流、磁束挙動を示すタイミングチャートであり、図３により位相制御開閉演算処理部８０の基準位相検出部８２および演算・動作制御部８１の閉極動作について説明したタイミングチャートに従って、遮断器５０を閉極動作させた際の各相の電圧、電流、磁束挙動等を示す。図４において、上から順に、各相の変圧器１０の電圧、各相の変圧器１０の電圧から予測した各相の変圧器磁束、各相の遮断器５０に流れる電流を示す。各相の投入前の残留磁束レベルは、図２に示したように、電圧零点で遮断したＲ相の残留磁束レベルは−５７%、他のＳ相およびＴ相の残留磁束レベルは＋３１%および＋２６%である。
【００２０】
この図４より、開極動作の際に基準となったＲ相を第１投入相として、変圧器の残留磁束を考慮して、投入時の励磁突入電流が最小となる最適な閉極時刻（電気角）点（変圧器のＲ相の残留磁束が定常磁束と一致する点）で投入する。そして、他のＳ相およびＴ相を第２投入相および第３投入相として、投入時の励磁突入電流が最小となる最適な閉極時刻（電気角）点（変圧器の各相の残留磁束が定常磁束と一致する点）を、第１投入相の投入時の励磁突入電流が最小となる最適な閉極時刻（電気角）点以降の任意の時刻（電気角）における第１投入相の電圧零点として投入する。これにより、第１相投入直後における第２投入相および第３投入相の残留磁束の差異を略零とすることができ、第２投入相および第３投入相の残留磁束と定常磁束が略一致する電気角で投入できているので、磁束の過渡現象が発生せず、対称磁束となって、磁気飽和が発生しないことから、変圧器にとって過酷となる開閉装置の開閉に伴う過渡的な励磁突入電流を最小限に抑制できていることが分かる。
【００２１】
なお、実施の形態１において、各相毎の遮断器が開極指令を受けた場合に、位相制御開閉演算処理部が、電力系統の送電線の中で中間に配置された中相を設定できる機能を備えれば、一つの相として特定される相（電圧零点で開極する相）を中相とすることができる。
さらに、実施の形態１において、各相毎の遮断器が開極指令を受けた場合に、位相制御開閉演算処理部が、電力系統の送電線の中で両端に配置された端相のいずれかの特定相を設定できる機能を備えれば、一つの相として特定される相（電圧零点で開極する相）を上記端相のいずれかの特定相とすることができる。
【００２２】
実施の形態２．
実施の形態１では、遮断器の変電機器側と電力系統側の電圧を計測する電圧計測部は、各相毎の遮断器に設けたが、位相制御開閉演算処理部が、各相毎の遮断器が開極指令を受けた場合に、三相中のいずれかの特定相を設定できる機能を備えれば、遮断器の変電機器側と電力系統側の電圧を計測する電圧計測部は、上記特定相の遮断器に設ければよい。
【００２３】
このようにすることにより、位相制御開閉装置は、電力系統に接続された変電機器と、
この変電機器に接続され、上記変電機器の故障電流や負荷電流を遮断すると共に上記変電機器を励磁するために投入する各相毎の遮断器と、三相中のいずれかの特定相の上記遮断器の変電機器側と電力系統側の電圧を計測する電圧計測部と、上記変電機器の残留磁束を考慮して上記各相毎の遮断器の開閉制御を行なう位相制御開閉演算処理部とを備え、上記各相毎の遮断器が開極指令を受けた場合に、上記位相制御開閉演算処理部が、上記特定相を設定できる機能を備え、上記特定相に設けられた上記電圧計測部より計測された電圧波形の位相から、上記特定相の周期的な零点を予測し、上記特定相の電圧零点近傍で上記遮断器の各接触子を三相同時に開極させ、上記各相毎の遮断器が閉極指令を受けた場合に、上記位相制御開閉演算処理部が、上記特定相の上記電圧計測部より計測された上記特定相の電圧波形の位相から、上記特定相の周期的な零点を予測し、電圧零点で開極した上記特定相を第１投入相とし、上記変電機器の残留磁束を考慮して投入時の励磁突入電流が略最小になる投入点で投入し、残りの相を上記特定相の投入点後の上記特定相の電圧零点近傍で投入するようにしたものである。
【００２４】
なお、実施の形態２の上記構成で、上記特定相は、電力系統の送電線の中で中間に配置された中相であり、上記電圧計測部が上記中相の電圧を計測するようにしてもよい。
さらに、実施の形態２の上記構成で、上記特定相は、電力系統の送電線の中で両端に配置された端相のいずれかの特定相であり、上記電圧計測部が上記端相のいずれかの特定相の電圧を計測するようにしてもよい。
【図面の簡単な説明】
【００２５】
【図１】この発明の実施の形態１における位相制御開閉装置の構成を示すブロック図である。
【図２】この発明における位相制御開閉装置の開極動作を説明するための各相の電圧、電流、磁束挙動等を示すタイミングチャートである。
【図３】この発明における位相制御開閉装置の閉極動作を説明するタイミングチャートである。
【図４】図３のタイミングチャートによる閉極動作に対する各相の電圧、電流、磁束挙動を示すタイミングチャートである。
【符号の説明】
【００２６】
１０  変圧器                            ５０  遮断器
３１  開閉極信号                        ３２  計測データ
５２ａ、５２ｂ、５２ｃ  消弧室          ５４ａ、５４ｂ、５４ｃ  操作装置
７２ａ、７２ｂ、７２ｃおよび７３ａ、７３ｂ、７３ｃ  電圧計測部
８０…位相制御開閉演算処理部            ８１  演算・動作制御部
８１ａ  遮断位相検出手段                ８１ｂ  投入位相検出手段
８２  基準位相検出部                    ８３  残留磁束検出部。
【図１】
2006040566.tif 000003
【図２】
2006040566.tif 000004
【図３】
2006040566.tif 000005
【図４】
2006040566.tif 000006